(57)【要約】【課題】  アキュムレータの共振による騒音を防止できる圧縮機を提供することにある。【解決手段】  圧縮機本体１と、アキュムレータ２と、上記アキュムレータ１を上記圧縮機本体１に固定するバンド３とを備える。上記アキュムレータ２の軸２０は、上記圧縮機本体１の軸１０に対して、傾いている。このように、上記バンド３によって、上記アキュムレータ２を所望の位置で確実に支持することができる。【選択図】  図１
2006152979.tif 000002
【特許請求の範囲】
【請求項１】
圧縮機本体（１）と、
アキュムレータ（２）と、
上記アキュムレータ（２）を上記圧縮機本体（１）に固定するバンド（３）と
を備え、
上記アキュムレータ（２）の軸（２０）は、上記圧縮機本体（１）の軸（１０）に対して、傾いていることを特徴とする圧縮機。
【請求項２】
請求項１に記載の圧縮機において、
上記アキュムレータ（２）は、上記圧縮機本体（１）に連通する出口（２１）を有し、
上記アキュムレータ（２）は、上記出口（２１）が上記圧縮機本体（１）に近づくように、傾いていることを特徴とする圧縮機。
【請求項３】
請求項１に記載の圧縮機において、
上記アキュムレータ（２）は、上記圧縮機本体（１）に連通する出口（２１）を有し、
上記アキュムレータ（２）は、上記出口（２１）が上記圧縮機本体（１）から遠ざかるように、傾いていることを特徴とする圧縮機。
【発明の詳細な説明】
【技術分野】
【０００１】
この発明は、例えば、空気調和機等に使用されるロータリ圧縮機、スクロール圧縮機やピストン式圧縮機等の圧縮機に関し、詳しくは、圧縮機本体にアキュムレータをバンドで支持する圧縮機に関する。
【背景技術】
【０００２】
従来より、圧縮機は、圧縮機本体と、アキュムレータと、上記アキュムレータを上記圧縮機本体に固定するバンドとを備えている。そして、上記アキュムレータの軸は、上記圧縮機本体の軸に対して、平行になっていた（特開平１１−１３６６６号公報：特許文献１参照）。
【０００３】
しかしながら、上記従来の圧縮機では、上記アキュムレータの軸は、上記圧縮機本体の軸に対して、平行であるため、上記バンドの締め付け方により、上記バンドの内面の幅方向のどの部分で、上記アキュムレータを実際に支持しているのか不確定であった。また、上記バンドによって、上記アキュムレータを所望の位置で支持することが困難であった。
【０００４】
このように、上記バンドによって、上記アキュムレータを予め設定した位置で確実に支持することができないので、上記アキュムレータの固有振動数が変化し、上記アキュムレータの共振周波数が変化して、上記アキュムレータの共振による騒音が発生するという問題があった。
【特許文献１】特開平１１−１３６６６号公報
【発明の開示】
【発明が解決しようとする課題】
【０００５】
そこで、この発明の課題は、アキュムレータの共振による騒音を防止できる圧縮機を提供することにある。
【課題を解決するための手段】
【０００６】
上記課題を解決するため、この発明の圧縮機は、
圧縮機本体と、
アキュムレータと、
上記アキュムレータを上記圧縮機本体に固定するバンドと
を備え、
上記アキュムレータの軸は、上記圧縮機本体の軸に対して、傾いていることを特徴としている。
【０００７】
この発明の圧縮機によれば、上記アキュムレータの軸は、上記圧縮機本体の軸に対して、傾いているので、上記バンドの内面の内の、上記アキュムレータを支持している位置が、確定される。すなわち、上記バンドによって、上記アキュムレータを所望の位置で確実に支持することができる。
【０００８】
このように、上記バンドによって、上記アキュムレータを予め設定した位置で支持することができるので、上記アキュムレータの共振周波数を予め決めた値にできて、上記アキュムレータの共振による騒音を防止できる。
【０００９】
また、一実施形態の圧縮機では、上記アキュムレータは、上記圧縮機本体に連通する出口を有し、上記アキュムレータは、上記出口が上記圧縮機本体に近づくように、傾いている。
【００１０】
この一実施形態の圧縮機によれば、上記アキュムレータは、上記出口が上記圧縮機本体に近づくように、傾いているので、上記アキュムレータの上記出口と上記圧縮機本体とを連結する出口配管を短くできる。
【００１１】
このように、上記出口配管を短くできるので、上記出口配管の剛性を高くできる。すなわち、上記アキュムレータの共振周波数を高く設定できて、上記アキュムレータは共振しにくくなる。
【００１２】
また、一実施形態の圧縮機では、上記アキュムレータは、上記圧縮機本体に連通する出口を有し、上記アキュムレータは、上記出口が上記圧縮機本体から遠ざかるように、傾いている。
【発明の効果】
【００１３】
この発明の圧縮機によれば、上記アキュムレータの軸は、上記圧縮機本体の軸に対して、傾いているので、上記バンドによって上記アキュムレータを所望の位置で支持して、上記アキュムレータの共振周波数を予め決めた値にできて、上記アキュムレータの共振による騒音を防止できる。
【発明を実施するための最良の形態】
【００１４】
以下、この発明を図示の実施の形態により詳細に説明する。
【００１５】
（第１の実施形態）
図１は、この発明の圧縮機の一実施形態である簡略正面図を示している。この圧縮機は、圧縮機本体１と、アキュムレータ２と、上記アキュムレータ２を上記圧縮機本体１に固定するバンド３とを備える。
【００１６】
この圧縮機は、例えば、高圧ドーム型のロータリ圧縮機であって、図示しない凝縮器、膨張機構および蒸発器とともに、冷凍システムの一例としての空気調和機を構成する。
【００１７】
上記圧縮機本体１は、吐出管１３を有する。上記圧縮機本体１は、上記アキュムレータ２から吸入された冷媒ガスを、高温高圧に圧縮して、上記吐出管１３から図示しない上記凝縮器へ吐出する。
【００１８】
上記アキュムレータ２は、図示しない上記蒸発器に接続されている。上記アキュムレータ２は、下面に、上記圧縮機本体１に連通する出口２１を有する。上記アキュムレータの上記出口２１と上記圧縮機本体１とは、出口配管５によって、連結されている。
【００１９】
上記圧縮機本体１は、上記出口配管５が接続される位置よりも上側に、支持台１１を有する。上記バンド３は、上記圧縮機本体１の上記支持台１１に取り付けられている。上記バンド３は、上記アキュムレータ２の周囲を巻いて締め付けている。すなわち、上記バンド３および上記支持台１１によって、上記アキュムレータ２を固定している。
【００２０】
上記アキュムレータ２の軸２０は、上記圧縮機本体１の軸１０に対して、傾いている。すなわち、上記アキュムレータ２は、上記出口２１が上記圧縮機本体１に近づくように、傾いている。要するに、上記アキュムレータ２は、上記圧縮機本体１に、始めから傾けて取り付けられている。
【００２１】
上記アキュムレータ２は、上記バンド３によって、締め付け点（作用点）Ｐ1にて、締め付けられる。上記アキュムレータ２は、上記支持台１１によって、支持点Ｐ2にて、支持される。
【００２２】
上記締め付け点Ｐ1は、上記支持点Ｐ2よりも上側にある。すなわち、上記締め付け点Ｐ1は、上記支持点Ｐ2よりも、上記アキュムレータ２の上記出口２１から離れた位置にある。また、上記締め付け点Ｐ1は、上記支持点Ｐ2よりも、上記圧縮機本体１の軸１０から離れた位置にある。
【００２３】
上記構成の圧縮機によれば、上記アキュムレータ２の軸２０は、上記圧縮機本体１の軸１０に対して、傾いているので、上記バンド３の内面の内の、上記アキュムレータ２を支持している位置（上記締め付け点Ｐ1）が、確定される。すなわち、上記バンド３によって、上記アキュムレータ２を所望の位置で確実に支持することができる。要するに、上記締め付け点Ｐ1および上記支持点Ｐ2を、上記アキュムレータ２の所望の位置に、容易に合わせることができる。
【００２４】
このように、上記バンド３によって、上記アキュムレータ２を予め設定した位置で支持することができるので、上記アキュムレータ２の共振周波数を予め決めた値にできて、上記アキュムレータ２の共振による騒音を防止できる。
【００２５】
また、上記アキュムレータ２は、上記出口２１が上記圧縮機本体１に近づくように、傾いているので、上記出口配管５を短くできる。このように、上記出口配管５を短くできるので、上記出口配管５の剛性を高くできる。すなわち、上記出口配管５のバネ定数を大きくして、上記アキュムレータ２の共振周波数を高く設定できて、上記アキュムレータ２は共振しにくくなる。
【００２６】
（第２の実施形態）
図２は、この発明の圧縮機の第２の実施形態を示している。上記第１の実施形態と相違する点を説明すると、この第２の実施形態では、上記アキュムレータ２は、上記出口２１が上記圧縮機本体１から遠ざかるように、傾いている。
【００２７】
上記締め付け点Ｐ1は、上記支持点Ｐ2よりも下側にある。すなわち、上記締め付け点Ｐ1は、上記支持点Ｐ2よりも、上記アキュムレータ２の上記出口２１に近い位置にある。また、上記締め付け点Ｐ1は、上記支持点Ｐ2よりも、上記圧縮機本体１の軸１０から離れた位置にある。
【図面の簡単な説明】
【００２８】
【図１】本発明の圧縮機の一実施形態を示す簡略正面図である。
【図２】本発明の圧縮機の他の実施形態を示す簡略正面図である。
【符号の説明】
【００２９】
１    圧縮機本体
１０    （圧縮機本体の）軸
１１    支持台
２    アキュムレータ
２０    （アキュムレータの）軸
２１    出口
３    バンド
５    出口配管
Ｐ1    締め付け点（作用点）
Ｐ2    支持点
【図１】
2006152979.tif 000003
【図２】
2006152979.tif 000004